(57)【要約】【課題】旋回内側の後輪による圃場の荒らしが軽減できると共に、連結されている作業装置などの揺れや振動を低減し、操作性を向上させる作業機の提供である。【解決手段】原動機２０を備えた走行車体２と、前輪１０及び後輪１１と、操縦席３１と、操向ハンドル３４と、操向ハンドル３４の操作に連動して前輪１０の向きを変更できるステアリング機構（８６Ｉなど）と、走行車体２の後側に昇降リンク装置３により装着された苗植付部４と、原動機の回転数検出手段１０２と、ステアリング機構（８６Ｉなど）に連動して旋回内側の後輪１１の駆動力を断続的に入切する制御機能Ｂを備えた制御装置１６３とを備えた作業機であって、制御装置１６３は、原動機回転数検出手段１０２により検出される回転数が所定値以上である場合に制御機能Ｂの旋回内側の後輪１１のサイドクラッチの入切周期の入り時間の割合を減少させる補正機能Ｃを有する。【選択図】図１５
2010263803.tif 000002
【特許請求の範囲】
【請求項１】
原動機（２０）を備えた走行車体（２）と、
該走行車体（２）の前進方向に向かって左右にそれぞれ設けられた前輪（１０）と、
該前輪（１０）の左右後方にそれぞれ設けられ、前記原動機（２０）により駆動する後輪（１１）と、
前記走行車体（２）上に設けられ、走行車体（２）の操縦を行うための操縦席（３１）と、
該操縦席（３１）に設けられ、走行車体（２）の操向方向を決める操向ハンドル（３４）と、
該操向ハンドル（３４）の操作に連動して、左右の前輪（１０）の向きを変更できるステアリング機構（８６Ｉ、１８０、２１７）と、
前記走行車体（２）の前進方向に向かって後側に昇降リンク装置（３）を介して昇降可能に装着された作業装置（４）と、
前記原動機（２０）の出力軸の駆動回転数を検出する原動機回転数検出手段（１０２）と、
前記原動機（２０）からの動力を左右の後輪（１１）に伝達する左右のサイドクラッチと、
前記ステアリング機構（８６Ｉ、１８０、２１７）に連動して旋回内側の後輪（１１）のサイドクラッチを断続的に入り切りする断続的入り切り制御機能（Ｂ）を有する制御装置（１６３）と
を備えた作業機であって、
前記制御装置（１６３）は、原動機回転数検出手段（１０２）により検出される駆動回転数が所定値以上である場合に前記断続的入り切り制御機能（Ｂ）の旋回内側の後輪（１１）のサイドクラッチの入り切り周期の入り時間の割合を減少方向に変更する断続的入り切り制御補正機能（Ｃ）を有することを特徴とする作業機。
【請求項２】
前記左右の後輪（１１）の回転数を検出する左右の後輪回転数検出手段（２０５）を設け、
前記制御装置（１６３）は、前記後輪回転数検出手段（２０５）により検出された旋回外側の後輪（１１）の回転数に基づいて、該旋回外側の後輪（１１）の回転数よりも小さい旋回内側の後輪（１１）の回転数を演算し、設定する旋回内側の後輪（１１）の回転数演算設定機能（Ｄ）を有し、
前記断続的入り切り制御機能（Ｂ）は、該回転数演算設定機能（Ｄ）により設定された回転数よりも前記後輪回転数検出手段（２０５）により検出された旋回内側の後輪（１１）の回転数が大きい場合はサイドクラッチを切りにし、前記旋回内側の後輪（１１）の回転数演算設定機能（Ｄ）により設定された回転数よりも前記後輪回転数検出手段（２０５）により検出された旋回内側の後輪（１１）の回転数が同じ又は小さい場合はサイドクラッチを所定時間入りにする制御を行い、
前記断続的入り切り制御補正機能（Ｃ）は、前記原動機回転数検出手段（１０２）により検出される駆動回転数が所定値以上である場合に前記断続的入り切り制御機能（Ｂ）のサイドクラッチ入りの所定時間を減少方向に変更する制御を行うことを特徴とする請求項１記載の作業機。
【発明の詳細な説明】
【技術分野】
【０００１】
本発明は、走行車両に苗植え付け装置などの作業装置を連結した乗用型作業機に関するものである。
【背景技術】
【０００２】
作業車両の進行方向左右に配置される車輪にサイドクラッチやサイドブレーキを装備し、前輪を設定角度以上に操向させる作動に連動して旋回内側となる後輪の推進力を抑制させて左右後輪の推進力の差によって機体を旋回させることで、小回り旋回を行うようにした乗用型作業機などがある。これは、操向ハンドルの操作で、該ハンドルの操作に対応した車輪のサイドクラッチやサイドブレーキなどを入り切りして旋回させるものである。
【０００３】
下記特許文献１には、左右の後輪への伝動を各別に断続するサイドクラッチと、前輪が直進姿勢から設定角度以上に操向されると旋回内側のサイドクラッチを切り操作する機械式の自動操向機構を備えており、前輪が直進姿勢から設定角度以上に操向されている状態が検出されると、旋回内側の後輪に対するサイドクラッチをアクチュエータによって自動的かつ間欠的に入り切り制御する構成が開示されている。
【先行技術文献】
【特許文献】
【０００４】
【特許文献１】特開２００４−１９６０００号公報
【発明の概要】
【発明が解決しようとする課題】
【０００５】
特許文献１に開示された構成によれば、自動操向機構が作動して旋回内側の後輪に対するサイドクラッチが切り操作される状態になると、自動的にアクチュエータが作動制御されてサイドクラッチを間欠的に入り切り操作することにより、旋回内側の後輪は遊転状態と駆動状態に繰り返し切り換えられる。したがって、前輪を大きく操向操作するだけで小回り旋回を行うことのできる自動操向機構の特徴を活かしながら、旋回内側の後輪による圃場の荒らしを軽減できるようになる。
【０００６】
しかし、上記構成では、前輪が直進姿勢から設定角度以上に操向されると一定の周期で所定時間ずつ間欠的に通電制御されるもので、前輪の操向角度には対応しているものの、設定角度以上に操向されると、後は自動的に入り切り状態となる画一的な制御である。  
このような画一的な制御では、例えば、エンジンなどの原動機の駆動回転数が大きい場合、サイドクラッチの入り操作時には旋回内側の後輪の駆動力が大きくなって、機体が大きく揺れたり、振動したりすることがある。作業車両に苗植え付け装置などの作業装置を連結した作業機では、苗植え付け装置などの作業装置の揺れが増大すると、操縦者（オペレータ）にもその揺れによって不快感をもたらし、また、適正な植え付け作業が困難となる。そして、リンク機構等により作業車両に作業装置を連結している場合は、作業装置の揺れが増大することによって連結機構の耐久性が劣ってしまう。
【０００７】
そこで、本発明の課題は、旋回内側の後輪による圃場の荒らしが軽減できると共に、連結されている作業装置などの揺れや振動を低減し、操作性や作業装置の連結機構の耐久性を向上させる乗用型作業機などを提供することである。
【課題を解決するための手段】
【０００８】
本発明の上記課題は次の解決手段で解決される。  
請求項１記載の発明は、原動機（２０）を備えた走行車体（２）と、該走行車体（２）の前進方向に向かって左右にそれぞれ設けられた前輪（１０）と、該前輪（１０）の左右後方にそれぞれ設けられ、前記原動機（２０）により駆動する後輪（１１）と、前記走行車体（２）上に設けられ、走行車体（２）の操縦を行うための操縦席（３１）と、該操縦席（３１）に設けられ、走行車体（２）の操向方向を決める操向ハンドル（３４）と、該操向ハンドル（３４）の操作に連動して、左右の前輪（１０）の向きを変更できるステアリング機構（８６Ｉ、１８０、２１７）と、前記走行車体（２）の前進方向に向かって後側に昇降リンク装置（３）を介して昇降可能に装着された作業装置（４）と、前記原動機（２０）の出力軸の駆動回転数を検出する原動機回転数検出手段（１０２）と、前記原動機（２０）からの動力を左右の後輪（１１）に伝達する左右のサイドクラッチと、前記ステアリング機構（８６Ｉ、１８０、２１７）に連動して旋回内側の後輪（１１）のサイドクラッチを断続的に入り切りする断続的入り切り制御機能（Ｂ）を有する制御装置（１６３）とを備えた作業機であって、前記制御装置（１６３）は、原動機回転数検出手段（１０２）により検出される駆動回転数が所定値以上である場合に前記断続的入り切り制御機能（Ｂ）の旋回内側の後輪（１１）のサイドクラッチの入り切り周期の入り時間の割合を減少方向に変更する断続的入り切り制御補正機能（Ｃ）を有する作業機である。  
なお、原動機回転数検出手段（１０２）により検出される駆動回転数とは、原動機（２０）の出力軸の単位時間あたりの回転数を意味している。
【０００９】
請求項２記載の発明は、前記左右の後輪（１１）の回転数を検出する左右の後輪回転数検出手段（２０５）を設け、前記制御装置（１６３）は、前記後輪回転数検出手段（２０５）により検出された旋回外側の後輪（１１）の回転数に基づいて、該旋回外側の後輪（１１）の回転数よりも小さい旋回内側の後輪（１１）の回転数を演算し、設定する旋回内側の後輪（１１）の回転数演算設定機能（Ｄ）を有し、前記断続的入り切り制御機能（Ｂ）は、該回転数演算設定機能（Ｄ）により設定された回転数よりも前記後輪回転数検出手段（２０５）により検出された旋回内側の後輪（１１）の回転数が大きい場合はサイドクラッチを切りにし、前記旋回内側の後輪（１１）の回転数演算設定機能（Ｄ）により設定された回転数よりも前記後輪回転数検出手段（２０５）により検出された旋回内側の後輪（１１）の回転数が同じ又は小さい場合はサイドクラッチを所定時間入りにする制御を行い、前記断続的入り切り制御補正機能（Ｃ）は、前記原動機回転数検出手段（１０２）により検出される駆動回転数が所定値以上である場合に前記断続的入り切り制御機能（Ｂ）のサイドクラッチ入りの所定時間を減少方向に変更する制御を行う請求項１記載の作業機である。  
なお、旋回外側の後輪（１１）の回転数及び旋回内側の後輪（１１）の回転数とは、回転速度を意味している。
【発明の効果】
【００１０】
請求項１記載の発明によれば、制御装置（１６３）に、原動機回転数検出手段（１０２）により検出される駆動回転数が所定値以上である場合に断続的入り切り制御機能（Ｂ）の旋回内側の後輪（１１）のサイドクラッチの入り切り周期の入り時間の割合を減少方向に変更する断続的入り切り制御補正機能（Ｃ）を設けたことで、原動機（２０）の駆動回転数が比較的大きい場合はサイドクラッチの入り切り周期の入り時間の割合が小さくなる。
【００１１】
原動機（２０）の駆動力が大きい場合はサイドクラッチ入り操作時の旋回内側の後輪（１１）の駆動力が大きくなって、機体が大きく揺れたり、振動したりすることがある。しかし、このような場合に、原動機（２０）の駆動力を旋回内側の後輪（１１）に伝わりにくくすることができるため、走行車体（２）の揺れ及び振動を抑えて操縦者の不快感をなくし、操作性を向上させることができ、作業環境を良好に維持できる。  
そして、請求項２記載の発明によれば、断続的入り切り制御機能（Ｂ）は、回転数演算設定機能（Ｄ）により設定された回転数よりも旋回内側の後輪（１１）の回転数が大きい場合はサイドクラッチを切りにし、回転数演算設定機能（Ｄ）により設定された回転数よりも旋回内側の後輪（１１）の回転数が同じ又は小さい場合はサイドクラッチを所定時間入りにする制御を行う。旋回内側の後輪（１１）の回転数が比較的小さい場合は、当該旋回内側の後輪（１１）がスリップしている可能性が高い。  
したがって、請求項２記載の発明によれば、請求項１記載の発明の上記効果に加えて、旋回内側の後輪（１１）がスリップしやすい条件の時にサイドクラッチを所定時間入りにして旋回内側の後輪（１１）を駆動することで、適正な操向が行える。また、原動機（２０）の駆動回転数が所定値以上である場合に前記断続的入り切り制御機能（Ｂ）のサイドクラッチ入りの所定時間を減少方向に変更する制御を行うことで、サイドクラッチの入り切り周期の入り時間の割合が小さくなる。したがって、原動機（２０）の駆動力による走行車体（２）の揺れ及び振動を適確に抑えることができる。
【図面の簡単な説明】
【００１２】
【図１】本発明の実施例の乗用型田植機の側面図である。
【図２】図１の乗用型田植機の平面図である。
【図３】図３（ａ）は、図１の乗用型田植機の操向操作に連動する後輪のクラッチ作動機構図（平面図）であり、図３（ｂ）は、図３（ａ）の側面図である。
【図４】図３（ｂ）のミッションケース周辺の拡大図である。
【図５】図３（ａ）に油圧式無段変速装置を図示した場合の図である。
【図６】図１の乗用型田植機のチェンジレバー部の斜視図である。
【図７】図１の乗用型田植機の制御ブロック図である。
【図８】図１の乗用型田植機の旋回連動制御の考え方を示す図である。
【図９】図８の旋回連動制御のフローチャートである。
【図１０】図１の乗用型田植機の旋回連動制御のフローチャートである。
【図１１】図１０の旋回連動制御時の旋回内側の車輪のサイドクラッチの入切り周期のタイムチャートである。
【図１２】図１の乗用型田植機の旋回連動制御時に車体が深く沈み込んでいる場合などで苗植付装置の下降を速くするためのフローチャート（図１２（ａ））と旋回内側の車輪の回転数設定値Ｎ１又は設定値Ｎ２の昇降リンクセンサの検出値に対する値の関係を示すグラフ（図１２（ｂ））である。
【図１３】図１の乗用型田植機の操作盤の間欠サイドクラッチ制御調節ダイヤル部分の平面図である。
【図１４】図１の乗用型田植機の操作盤の植始め調節ダイヤル部分の平面図である。
【図１５】図１の乗用型田植機の間欠サイドクラッチ制御による制御時の旋回内側の車輪のサイドクラッチの入り切り周期のタイムチャートである。
【図１６】図１の乗用型田植機の別の例の間欠サイドクラッチ制御による制御時の旋回内側の車輪のサイドクラッチの入り切り周期のタイムチャートである。
【図１７】図１の乗用型田植機の別の例の間欠サイドクラッチ制御による制御時の旋回内側の車輪のサイドクラッチの入り切り周期のタイムチャートである。
【図１８】図１の乗用型田植機の別の例の間欠サイドクラッチ制御による制御時の旋回内側の車輪のサイドクラッチの入り切り周期のタイムチャートである。
【発明を実施するための形態】
【００１３】
以下、図面に基づき、本発明の好ましい実施の形態について説明する。  
図１及び図２は本発明の作業機の一実施例である乗用型田植機の側面図と平面図である。この乗用型田植機１は、走行車体２の後側に昇降リンク装置３を介して苗植付部４が昇降可能に装着され、走行車体２の後部上側に施肥装置５の本体部分が設けられている。  走行車体２は、駆動輪である左右一対の前輪１０，１０及び左右一対の後輪１１，１１を備えた四輪駆動車両であって、機体の前部にミッションケース１２が配置され、そのミッションケース１２の左右側方に前輪ファイナルケース１３，１３が設けられ、該左右前輪ファイナルケース１３，１３の操向方向を変更可能な各々の前輪支持部から外向きに突出する左右前輪車軸（前輪アクスル）１４（図４）に左右前輪１０，１０が各々取り付けられている。また、ミッションケース１２の背面部にメインフレーム１５の前端部が固着されており、そのメインフレーム１５の後端左右中央部に前後水平に設けた後輪ローリング軸を支点にして後輪ギヤケース１８，１８がローリング自在に支持され、その後輪ギヤケース１８，１８から外向きに突出する後輪車軸に後輪１１，１１が取り付けられている。
【００１４】
原動機としてのエンジン２０はメインフレーム１５の上に搭載されており、該エンジン２０の回転動力が、ベルト伝動装置２１及び油圧式無段変速装置２３を介してミッションケース１２に伝達される。変速レバー１６などにより決められるミッションケース１２に伝達された回転動力は、該ケース１２内のトランスミッションにより変速された後、走行動力と外部取出動力に分離して取り出される。そして、走行動力は、一部が前輪ファイナルケース１３，１３に伝達されて前輪１０，１０を駆動すると共に、残りが後輪ギヤケース１８，１８に伝達されて後輪１１，１１を駆動する。また、外部取出動力は、走行車体２の後部に設けた植付クラッチケース２５に伝達され、それから植付伝動軸２６によって苗植付部４へ伝動されるとともに、施肥伝動機構２８によって施肥装置５へ伝動される。
【００１５】
エンジン２０の上部はエンジンカバー３０で覆われており、その上に操縦席３１が設置されている。操縦席３１の前方には各種操作機構を内蔵するフロントカバー３２があり、その上方に前輪１０，１０を操向操作するステアリングハンドル３４が設けられている。エンジンカバー３０及びフロントカバー３２の下端左右両側は水平状のフロアステップ３５になっている。フロアステップ３５は一部格子状になっており（図２参照）、該ステップ３５を歩く作業者の靴についた泥が圃場に落下するようになっている。フロアステップ３５上の後部は、後輪フェンダを兼ねるリヤステップ３６となっている。
【００１６】
また、走行車体２の前部左右両側には、補給用の苗を載せておく予備苗載台３８，３８が機体よりも側方に張り出す位置と内側に収納した位置とに回動可能に設けられている。昇降リンク装置３は平行リンク構成であって、１本の上リンク４０と左右一対の下リンク４１，４１を備えている。これらリンク４０，４１，４１は、その基部側がメインフレーム１５の後端部に立設した背面視門形のリンクベースフレーム４２に回動自在に取り付けられ、その先端側に縦リンク４３が連結されている。そして、縦リンク４３の下端部に苗植付部４に回転自在に支承された連結軸４４が挿入連結され、連結軸４４を中心として苗植付部４がローリング自在に連結されている。メインフレーム１５に固着した支持部材と上リンク４０に一体形成したスイングアーム（図示せず）の先端部との間に昇降油圧シリンダー４６が設けられており、該シリンダ４６を油圧で伸縮させることにより、上リンク４０が上下に回動し、苗植付部４がほぼ一定姿勢のまま昇降する。
【００１７】
苗植付部４は８条植の構成で、フレームを兼ねる苗植付伝動ケース５０、マット苗を載せて左右往復動し苗を一株分ずつ各条の苗取出口５１ａ、…に供給するとともに横一列分の苗を全て苗取出口５１ａ、…に供給すると苗送りベルト５１ｂ、…により苗を下方に移送する苗載台５１、苗取出口５１ａ、…に供給された苗を圃場に植付ける苗植付装置５２、…、次行程における機体進路を表土面に線引きする左右一対の線引きマーカ（図示せず）等を備えている。苗植付部４の下部には中央にセンターフロート５５、その左右両側にミドルフロート５７とサイドフロート５６がそれぞれ設けられている。これらフロート（センターフロート５５、サイドフロート５６、ミドルフロート５７）を圃場の泥面に接地させた状態で機体を進行させると、フロート５５〜５７が泥面を整地しつつ滑走し、その整地跡に苗植付装置５２、…により苗が植付けられる。各フロート（センターフロート５５、サイドフロート５６、ミドルフロート５７）は圃場表土面の凹凸に応じて前端側が上下動するように回動自在に取り付けられており、植付作業時にはセンターフロート５５の前部の上下動が迎角制御センサ（迎い角センサとも言う）２３５により検出され、その検出結果に応じ前記昇降油圧シリンダー４６を制御する油圧バルブ（昇降バルブ）１６１を切り替えて苗植付部４を昇降させることにより、苗の植付深さを常に一定に維持する。
【００１８】
施肥装置５は、肥料ホッパ６０に貯留されている粒状の肥料を繰出部６１、…によって一定量ずつ繰り出し、その肥料を施肥ホース６２、…でフロート（センターフロート５５、サイドフロート５６、ミドルフロート５７）の左右両側に取り付けた施肥ガイド（図示せず）、…まで導き、施肥ガイド、…の前側に設けた作溝体（図示せず）、…によって苗植付条の側部近傍に形成される施肥構内に落とし込むようになっている。ブロア用電動モータ５３で駆動するブロア５８で発生させたエアが、左右方向に長いエアチャンバ５９を経由して施肥ホース６２、…に吹き込まれ、施肥ホース６２、…内の肥料を風圧で強制的に搬送するようになっている。
【００１９】
苗植付部４には整地装置の一例であるロータ２７（２７ａ，２７ｂ）が取り付けられている。また、苗載台５１は苗植付部４の全体を支持する左右方向と上下方向に幅一杯の矩形の支持枠体６５の支持ローラ６５ａをレールとして左右方向にスライドする構成である。  
ロータ２７は、次のような支持構造に支持されている。すなわち苗載台５１の前記支持枠体６５の両側辺部材６５ｂに上端を回動自在に支持された梁部材６６と該梁部材６６の両端に固着した支持アーム６７と該支持アーム６７に回動自在に取り付けられたロータ支持フレーム６８が設けられ、該ロータ支持フレーム６８の下端にはロータ２７（サイドロータ２７ａとセンタロータ２７ｂ）の駆動軸７０（７０ａ，７０ｂ）が取り付けられている。また該ロータ支持フレーム６８の下端部近くは苗植付伝動ケース５０に回動自在に取り付けられた連結部材７１に連結している。
【００２０】
フロート（センターフロート５５、サイドフロート５６、ミドルフロート５７）との配置位置の関係でセンタフロート５５の前方にあるロータ２７ｂはサイドフロート５６とミドルフロート５７の前方にある各ロータ２７ａより前方に配置されている。そのためロータ２７ａの駆動軸７０ａへの動力は後輪１１のギアケース１８内のギアから伝達され、ロータ２７ｂの駆動軸７０ｂへは両方のロータ２７ａ，２７ａの駆動軸７０ａ，７０ａの車体内側の端部からそれぞれ動力が伝達される。
【００２１】
また、ロータ２７ｂは梁部材６６に上端部が支持された一対のリンク部材７６，７７によりスプリング７８を介して吊り下げられている。  
また、ロータ上下位置調節レバー８１の下端部には折曲片８２が固着されており、該折曲片８２は支持枠体６５に回動自在に支持されている。そして前記レバー８１が車両の左右方向に回動操作されると、支持枠体６５の両側辺部材６５ｂに回動自在に支持された梁部材６６に固着支持された突出部６６ａの近くを折曲片８２が上下に回動する。折曲片８２は前記突出部６６ａの下方を係止しているので、該突出部６６ａがレバー８１の機体右方向の回動で、上向きに梁部材６６を中心として回動する。該突出部６６ａの前記回動により第一リンク部材７６の梁部材６６との連結部と反対側の端部も梁部材６６を中心として上向きに回動する。この第一リンク部材７６の上方への回動により第二リンク部材７７とスプリング７８を介してロータ２７ｂを上方に上げることができる。ロータ２７ｂを上方に移動させると、駆動軸７０ｂと駆動軸７０ａを介してロータ２７ａも同時に上方に移動する。
【００２２】
なお、ロータ上下位置調節レバー８１は車体２のほぼ中央部に設けているので、ロータ２７ａ，２７ｂの上下動を行う場合に左右のバランスを取りやすい。  
また、苗植付部４を圃場に下げたときに、苗植付部４を水平位置に戻すケーブル４５をセンタロータ２７ｂのリンク部材７６，７７とスプリング７８等からなる引上げスプリング部と油圧ピストン４６と連動させた。
【００２３】
このように、センタロータ２７ｂのスプリング７８等によるスイング機構の他にケーブル４５を設けることで苗植付部４を上昇位置から下降させるごとにセンタロータ２７ｂを水平位置に戻すことができ、センタロータ２７ｂの保持位置を安定化させることができる。  
エンジン２０の回転動力は、ベルト伝動装置２１などを介して油圧式無段変速装置２３に伝えられ、油圧式無段変速装置２３からの出力はベルト（図示せず）を介してミッションケース１２の図示しない入力軸に伝えられる。
【００２４】
苗植付部４は、走行車体２のメインフレーム１５に昇降リンク装置３で昇降自在に装着されているが、その昇降させる構成と苗植付部４の構成について説明する。先ず、走行車体２に基部が回動自在に設けられた一般的な油圧シリンダー４６（図１）のピストン上端部を昇降リンク装置３に連結し、走行車体２に設けた油圧ポンプ４９（図４，図５）により油圧シリンダー４６に圧油を供給・排出して、油圧シリンダー４６のピストンを伸進・縮退させて昇降リンク装置３に連結した苗植付部４が上下動されるように構成されている。
【００２５】
図３（ａ）の平面図（展開図）には、図１の乗用型田植機の操向操作に連動する後輪１１のサイドクラッチ作動機構図を示し、図３（ｂ）には、図３（ａ）の側面図を示す。また、図４には、図３（ｂ）のミッションケース１２周辺の拡大図を示し、図５には、図３（ａ）の平面図に油圧式無段変速装置２３を図示した場合を示している。図６には、図１の乗用型田植機のチェンジレバー部の斜視図を示し、図７には、図１の乗用型田植機の制御ブロック図を示す。  
左右の後輪１１の伝動軸のサイドクラッチ操作アーム８６Ｉを作動させるクラッチ連動用の左右ロッド１８０がミッションケース１２の左右両側に設けられ、該クラッチ連動用の左右ロッド１８０とサイドクラッチ操作アーム８６Ｉは左右のプルシリンダ２１７を介して連結している。
【００２６】
左右のサイドクラッチ操作アーム８６Ｉは、前記左右のプルシリンダ２１７（旋回時にシリンダ２１７を引き、旋回内側の後輪１１の伝動軸のサイドクラッチを切る）作動制御用のサイドクラッチ制御用電磁バルブ２２１（図４，図５）を備えている上記構成を用いて、ステアリングハンドル３４を一定角度回転させた後に、一つは継続して前記サイドクラッチを切り又は入りにする制御（Ａ）ともう一つは一定周期（又は不定期）で前記サイドクラッチを接続／切断する制御（Ｂ）に切替え選択可能にした。制御（Ａ）は標準用であり、制御（Ｂ）は湿田用である。ステアリングハンドル３４を操作するとトルクジェネレータ（パワーステアリング）３７によって旋回内側のプルシリンダ２１７を作動させてサイドクラッチを切り（又は入り）にする。これらサイドクラッチ操作アーム８６Ｉ、クラッチ連動用の左右ロッド１８０、プルシリンダ２１７、サイドクラッチ制御用電磁バルブ２２１などをステアリング機構と言う。
【００２７】
上記した実施例では、ステアリングハンドル３４の所定角以上の操作により、旋回内側の後輪１１のサイドクラッチ（図示せず）を切る例を示したが、サイドクラッチスイッチ１９５（図７）を作業モニタ装置に備えた操作盤３３（図２）に設けておき、手動でサイドクラッチの「切」が可能な構成にしても良い。または、サイドクラッチペダルにより、手動でサイドクラッチの「切」が可能な構成にしても良い。
【００２８】
次に、後進時に苗植付部４を自動的に上昇させる制御構成について説明する。先ず、図６に示すように、チェンジレバー９０（前後進レバー）を後進速に操作すると、チェンジレバー９０の基部に設けた接当片１９０が接当してオンになるバックリフトスイッチ１９１が設けられており、制御装置１６３（図７）の苗植付装置上昇手段により電磁油圧バルブ（昇降バルブ）１６１を作動させる電磁ソレノイドを制御して油圧シリンダー４６にて苗植付部４を最大位置まで上昇させるように構成されている。  
このように、チェンジレバー９０を後進速に操作すると、自動的に苗植付部４を最大位置まで上昇させるように構成しておくと、圃場の畦際で機体を旋回させるため等に機体を畦に向かって後進させる時に、自動的に苗植付部４は最大位置まで上昇しているので、苗植付部４が畦に衝突して破損することが未然に防止でき作業性が良い。
【００２９】
次に、旋回時に苗植付部４を自動的に上昇させる制御構成について説明する。前記ステアリングハンドル３４を左右何れかに２００度回転させた時に自動リフト切替スイッチ１９２（図１４）をオンにすると、制御装置１６３の苗植付部上昇手段により電磁油圧バルブ１６１を作動させる電磁ソレノイドを制御して油圧シリンダー４６にて苗植付部４を最大位置まで上昇させるように構成されている。  
このように、畦際で機体を旋回させるためにステアリングハンドル３４を左右何れかに最大限まで回転させると、自動的に苗植付部４は最大位置まで上昇するので、機体旋回時に苗植付部４を上昇させる操作が不要となり、能率良く機体旋回が行えて作業性が良い。  操作盤３３には、苗植付部４の自動上昇を行わせる状態と行わせない状態とに切替える自動リフト切替スイッチ１９２（図７，図１４）が設けられており、自動リフト切替スイッチ１９２を自動にしていると、上記のようにバックリフトスイッチ１９１がオンになるか自動リフト切替スイッチ１９２がオンでステアリングハンドル３４を左右何れかに２００度回転すると自動的に苗植付部４は制御装置１６３の苗植付装置上昇手段により自動上昇される。そして、自動リフト切替スイッチ１９２をオフにしていると、バックリフトスイッチ１９１がオンになってもステアリングハンドル３４を左右何れかに２００度回転しても苗植付部４は自動上昇されない。
【００３０】
このように、一つの自動リフト切替スイッチ１９２で、バックリフトスイッチ１９１がオンになっても自動リフト切替スイッチ１９２がオフであればステアリングハンドル３４を左右何れかに２００度回転しても苗植付部４は自動上昇されない状態にすることができるので、バックリフトとオートリフトの各々を入り切りするスイッチを別々に設けた構成よりも簡潔な構成となり、一つのスイッチで両者の状態切替えが行えるので、操作ミスが少なくなり作業性が良い。
【００３１】
なお、自動リフト切替スイッチ１９２をオフにして、バックリフトスイッチ１９１がオンになってもステアリングハンドル３４を左右何れかに２００度回転しても苗植付部４が自動上昇しない状態にしておくと、機体を後進で納屋等にしまう時にチェンジレバー９０を後進速に操作しても苗植付部４が自動上昇しないので、苗植付部４を下げたまま後進することができ、納屋の入口上部や納屋内の他の部材に苗植付部４をぶつけてしまうような事態が回避できる。また、扇型やひょうたん型等の変形圃場で畦際に沿って周り植えをする場合に、曲がった畦に沿ってステアリングハンドル３４を回しながら植付け作業を行うが、この時に、自動リフト切替スイッチ１９２を自動位置にしていると、ステアリングハンドル３４を左右何れかに２００度以上回転すると自動的に苗植付部４が上昇してしまい植付け作業が行えないが、自動リフト切替スイッチ１９２をオフにしていると、ステアリングハンドル３４を左右何れかに２００度以上回転しても苗植付部４は上昇しないので植付け作業が行え、変形圃場でも適切に苗植付け作業が行える。
【００３２】
また、上記構成からなる乗用型田植機１では、本実施例の制御装置１６３は旋回内側の後輪１１のドライブシャフト（伝動軸）（図示せず）の回転数の検出に基づいて、旋回時の苗植え付けなどの諸作動を自動的に行わせる旋回連動制御ができる。この制御モードを自動植付開始モードということがあるが、特に、旋回内側の後輪１１が所定角度以上操舵されているときに、前記旋回連動制御ができる。
【００３３】
旋回後の苗の植始め位置の設定を後輪の回転数に基づいて自動的に行う制御モード（自動植付開始モード）の設定ができ、この制御モード設定は旋回開始タイミングをステアリングハンドル３４の旋回角度（切れ角）センサ１９３で検知し、該旋回角度センサ１９３で検知した旋回開始時からの走行距離を車輪（旋回内側の後輪１１の伝動軸）の回転数センサ（後輪回転数検出手段）２０５の検出値に基づき測定し、前記走行距離が所定値に達すると苗植付レバー１９（図２）の操作をしなくても、自動的に苗の植え付けを開始する自動植付開始モードである。
【００３４】
この制御の考え方を図８と表１に示す。
【表１】
2010263803.tif 000003
【００３５】
すなわち、ステアリングハンドル３４を切り、旋回内側の後輪１１のサイドクラッチが切れた状態で、左右ドライブシャフトの回転数を検出し、旋回時の内側の後輪１１の伝動軸回転数（旋回開始時からの走行距離であり累計回転数を示す）が設定値Ｎ１を超えると苗植付部４を下降させる。その後、後輪１１の伝動軸回転数が設定値Ｎ２と苗植付具１２６の作動が「切り」状態に入って（＝苗植付装置５２が上げ状態に移って）からステアリングハンドル３４の切り操作開始までの後輪１１の伝動軸の回転数ｎの合計値以上になると  植付クラッチケース２５内の植付クラッチが入りになって植付「入り」にする機構である（図７のＰＴＯクラッチ作動ソレノイドを作動させて、植付「入り」にする）。 
植付クラッチが入り状態になることで、全植付条の苗植付け具１２６が作動すると共に、苗載台５１も左右移動を開始し、苗載台５１の左右移動端では全植付条の苗送りベルト５１ｂが作動する。伝動機構としては、植付クラッチから植付伝動軸２６によって苗植付部４へ伝動され、苗植付部４内において各畦クラッチ（図示せず）を介して各々対応する苗植付け具１２６へ伝動され、苗植付部４内において各苗送りクラッチ（図示せず）を介して各々対応する苗送りベルト５１ｂへ伝動される。
【００３６】
上記旋回連動制御のフローを図９に示す。  
まず、左右の後輪１１，１１の伝動軸の回転数を伝動軸回転数センサ２０５で検出し、また設定値Ｎ１（旋回開始から機体９０°旋回までの旋回内側の後輪１１のドライブシャフト（伝動軸）回転信号設定値）、Ｎ２（機体９０°旋回から植付クラッチ「入り」までの前記ドライブシャフト回転信号設定値）、θ１（（直進操作時のハンドル切り設定角度の）下限値（左旋回と判断する角度））、θ２（（直進操作時のハンドル切り設定角度の）上限値（右旋回と判断する角度））をセットする。  
次いで、圃場の硬軟や水深、耕盤深さ（圃場深さ）等の圃場条件の相違に対応するために、前記回転数Ｎ１、Ｎ２及びハンドル切り角度θ１、θ２の各設定値を調節する設定ダイヤル２０６ａ〜２０８ｂ（図７）により、補正値ｎ０を設定する。
【００３７】
苗植付部４の苗植付け具１２６が苗の植え付け状態にあるか無いかをフィンガーレバー１６６（苗植付部４の駆動の入り切り操作をしたり、苗植付部４の昇降操作をしたりできるレバー）の操作に伴う制御装置１６３の状態で検出して、植付「入」から植付「切」になったとき（図７のＰＴＯクラッチ作動ソレノイドを作動させて、植付「切り」にする）、苗植付け具１２６の作動が「入り」状態に入ってから苗植付け具１２６の作動が「切り」状態になるまでの後輪１１の伝動軸の回転数ｎを旋回内側の伝動軸回転数センサ２０５で検出して、その値（ｎ）を記憶しておく。次いで、ステアリングハンドル３４の切り角度（操舵角度）θをステアリングハンドル３４のシャフトに設けたハンドル切れ角センサ（ポテンショメータ）１９３（図７）で検出して直進時（θ１＜θ＜θ２）以外の時には左右のいずれの方向に旋回中であるかどうかを検出する。
【００３８】
左旋回中であると左後輪１１の伝動軸の回転数を検出して、回転数ｎ１がｎ１≧Ｎ１＋ｎ０になると、旋回開始から機体が９０度以上旋回したことになるので苗植付部４を下げる。この苗植付部４の下降で枕地が均平化される。また、機体を９０度旋回させた後には、ステアリングハンドル３４の旋回度合いを緩めながら前進させ、左後輪１１の左右ドライブシャフトの回転数ｎ２がｎ２≧Ｎ２＋ｎ＋ｎ０になると、植付クラッチケース２５内の植付クラッチが入りになり苗植付け具１２６を作動させて苗の植え付けを開始させる。
【００３９】
本実施例の乗用型田植機１では、自動植付開始モードが設定された時にも、自動的に制御装置１６３によって、旋回外側の後輪１１の回転数（回転速度）に応じて旋回内側の後輪１１の駆動を伝動するサイドクラッチを断続的に入り切りする断続的入り切り制御機能（Ｂ）（間欠サイドクラッチ制御ともいう）を作動させることができる。
【００４０】
なお、断続的入り切り制御機能（Ｂ）の「後輪（１１）のサイドクラッチを断続的に入り切りする」とは、（ａ）後輪（１１）の駆動力の入り又は切りがそれぞれ１回現出される作動周期Ｔが一定であり、且つ前記作動周期中のオン／オフ時間の割合（比率）が一定であること、及び（ｂ）後輪（１１）の駆動力の入り又は切りがそれぞれ１回現出される作動周期Ｔが可変であること、又は前記作動周期中のオン／オフ時間の割合（比率）が可変であることを言う。
【００４１】
すなわち、（ａ−１）作動周期（Ｔ）が一定で、オン／オフ時間の割合も一定、（ｂ−１）作動周期Ｔが一定で、オン／オフ時間の割合は可変、（ｂ−２）作動周期Ｔが可変で、オン／オフ時間の割合は一定、（ｂ−３）作動周期Ｔが可変で、オン／オフ時間の割合も可変、の４つの形態がある。  
なお、上記作動周期Ｔとは、後輪１１の駆動力の入り又は切りがそれぞれ１回現出される時間のことであり、すなわち一回だけオン／オフが現出される時間をいう。
【００４２】
このように間欠サイドクラッチ制御を行うことにより、旋回半径をコントロールでき、ブレーキングによる衝撃も少なく、エンジン回転や車速の影響を受けずに後輪１１の旋回角度に応じたブレーキングの周期を得ることができる。前記旋回内側の後輪１１のクラッチをオン／オフする間欠サイドクラッチ制御において、車速が遅ければ遅い程クラッチをオン／オフする周期を短く、速ければ速いほどクラッチをオン／オフする周期を長くすることで、オペレータに旋回時の違和感がないブレーキングを行うことができる。車速は伝動軸回転数センサ２０５で測定する。
【００４３】
例えば、車速０ｍ／ｓで旋回内側の後輪１１の伝動軸のサイドクラッチ（図示せず：クラッチ操作アーム８６Ｉなどにより行う）の作動周期Ｔ（オン／オフを含む）が０．５秒、車速０．５ｍ／ｓで前記サイドクラッチ作動周期Ｔ（オン／オフを含む）が１．０秒、車速１．０ｍ／ｓで前記サイドクラッチ作動周期Ｔ（オン／オフを含む）が１．５秒となるように一次関数的に車速に応じて旋回内側の後輪１１の伝動軸のサイドクラッチ作動周期を変更する。  高速走行時は特に後輪１１の伝動軸のクラッチをオンするときでも、オフするときでも衝撃が大きい。そこで上記のように、間欠サイドクラッチ制御による衝撃を少なくするために、高速走行時ほど間欠サイドクラッチ制御（クラッチ操作アーム８６Ｉなどにより行う）のオン／オフの周期を長めにする。  
本実施例の８条植の乗用型田植機１のように、大型の作業車両（作業機）は旋回時には比較的大回りをする必要がある。しかし、旋回中に旋回内側の後輪１１の伝動軸のサイドクラッチを切ったままでおくと、小回りになり過ぎる。しかし、本実施例のように旋回内側の後輪１１の伝動軸を間欠サイドクラッチ制御すると、オペレータに旋回時の違和感がないブレーキングを行うことができ、オペレータの希望する適切な旋回半径で８条植の乗用型田植機１に相応しい比較的大回りの旋回が可能となる。
【００４４】
前記旋回内側の後輪１１の伝動軸のサイドクラッチの接続は、図１３に示すように操作盤３３に設けている間欠サイドクラッチ制御（ポンピングクラッチともいう）調節ダイヤル２１０で設定された回転数（回転角度）に旋回内側の後輪１１の回転数（走行距離、すなわち累計回転数のことである）が達するまでなされる。  
間欠サイドクラッチ制御調節ダイヤル２１０は、後輪回転角度（＝後輪１１の伝動軸の回転角度）で１１度〜２７度の間で調整を行う。なお、前記間欠サイドクラッチ制御調節ダイヤル２１０を後輪１１（後輪１１の伝動軸）の回転角度でなく、後輪１１の伝動軸作動用のクラッチ（図示せず）の作動時間、例えば２１０ｍｓから５１０ｍｓまでの時間で設定できる構成にして、この間欠サイドクラッチ制御調節ダイヤル２１０で設定された時間の間、旋回内側の後輪１１の伝動軸のサイドクラッチ（図示せず）が接続される構成としても良い。また、路上走行などで高速走行しているときには、間欠サイドクラッチ制御を選択すると、大回り旋回になり易く、そのためむしろハンドリングに違和感があるので、路上走行などの高速走行中には、前記間欠サイドクラッチ制御は不要である。そこで、作業車両が一定車速、例えば１．０ｍ／ｓ以上で高速走行しているときには、間欠サイドクラッチ制御が行われないようにしている。
【００４５】
本実施例の乗用型田植機１において、ステアリングハンドル３４を回して旋回する場合に、旋回外側の後輪１１の回転数（ａ１）に応じて旋回内側の後輪１１の回転数（ｂ１；ｂ１＜ａ１）を決めるように前記間欠サイドクラッチ制御を行う構成としても良い。  
この制御フローの具体実施例を図１０に示すが、ステアリングハンドル３４を回して旋回する場合に、旋回を始めてから旋回外側の後輪１１の回転数（走行距離（累計回転数））  が所定値（ａ０）に達すると（この間は旋回「内」側後輪１１のサイドクラッチは「切」）、前記旋回「内」側の後輪１１のサイドクラッチを「入」にして、それから旋回「外」側の後輪１１が所定の回転数（ａ１）になるまで旋回「内」側の後輪１１のサイドクラッチを「入」にしておく。
【００４６】
また、前記旋回内側の後輪１１のサイドクラッチの「入」と「切」のタイミングは制御装置１６３が自動設定するが、図１１に示すタイムチャートのように旋回内側後輪１１のサイドクラッチの「切」に対応する旋回外側の後輪１１の回転数（ａ０）と旋回内側のサイドクラッチの「入」に対応する旋回外側の後輪１１の回転数（ａ１）を間欠サイドクラッチ制御調節ダイヤル２１０により手動で設定することもできる。  
この様な図１０のフローに示す制御を行うと湿田での作業性が従来より向上する。
【００４７】
また、図９に示す制御フローの設定値Ｎ１（旋回開始から機体９０°旋回までの旋回内側の後輪１１のドライブシャフト（伝動軸）回転信号設定値）、Ｎ２（機体９０°旋回から植付クラッチ「入り」までの前記ドライブシャフト回転信号設定値）を小さくするほど、旋回内側の後輪１１が深い圃場などにおいて深く沈み込んでいる場合など、苗の植え付け時の苗植付装置５２の下降を速く行いたい場合に有効である。
【００４８】
後輪１１が深く圃場に沈み込んでいる場合には昇降リンクセンサ４８で上リンク４０と下リンク４１の昇降の程度を検出することにより、苗植付部４の昇降の程度も検出できる。この昇降リンクセンサ４８は、上リンク４０の角度を検出するセンサであり、上リンク４０の上下回動範囲に亘って上リンク４０の角度を検出する。そして、この昇降リンクセンサ４８によって、圃場の深さ（耕盤深さ）を測定する。  
なお、昇降リンクセンサ４８は上リンク４０に設けても、下リンク４１に設けても良い。下リンク４１に設けると、下リンク４１の上下回動範囲に亘って下リンク４１の角度を検出する。昇降リンクセンサ４８は上リンク４０又は下リンク４１のいずれか一方に設ければ良く、どちらに設けても昇降リンク装置３のリンク角度を検出するものである。
【００４９】
そして、この場合の制御フローを図１２（ａ）に示し、図１２（ｂ）に旋回開始から機体９０°旋回までの旋回内側の後輪１１のドライブシャフト（伝動軸）回転信号設定値Ｎ１又は機体９０°旋回から植付クラッチ「入り」までの旋回内側の前記ドライブシャフト回転信号設定値Ｎ２の昇降リンクセンサ４８の検出値に対する値の関係を示す。
【００５０】
また、図９に示す自動植付制御モードにおいて、ステアリングハンドル３４の操作角度θ１（（直進操作時のハンドル切り設定角度の）下限値）、θ２（（直進操作時のハンドル切り設定角度の）上限値）による苗植付部４の上昇のタイミングを前記θ１、θ２の設定ダイヤル２０６ａ，２０６ｂで任意に変更可能なように構成することができる。  
上記構成により旋回制御中にオペレータが苗植付部４の上昇タイミングを任意に設定できるので自分のペースに合わせた作業を行うことができる。  
こうして、８条植えなどの多条植え用の乗用型作業機であっても、前回の植付条に一部重なった状態で苗の植え付けをするおそれがなく圃場での旋回が可能となる。  
なお、右旋回の場合にも左旋回時と全く同様の制御が行われる。
【００５１】
このようにサイドクラッチが切れている後輪１１の伝動軸（ドライブシャフト）の回転数を検出する方法は、動力の伝わっている後輪１１の回転数検出方法に比べてよりスリップなどの影響を受け難い特徴がある。また、後輪１１より回転の速いドライブシャフトの回転数を検出するため、容易にその測定精度を上げることができる。その結果、各植え付け条毎の苗の植え付け始めがほぼ一定（枕地幅が一定）となる効果がある。  
また、上記図９に示す一連の旋回制御の諸動作を行う旋回制御のスタートボタン（スイッチ）１８４を、上記苗植付のスタート位置の設定を行うボタンとして兼用してもよい。  このように、畦際から発進して苗植付のスタート位置の設定を行うボタンと前記一連の旋回制御の諸動作を行う旋回制御のスタートボタン（スイッチ）１８４を兼用することによりボタン操作の忘れを防止できる。
【００５２】
前記自動植付開始モードの設定は植始め調節ダイヤル２１２（図１４）で行い、また前記旋回開始時からの苗の植付け始めまでの走行距離は、図１４に示す植始め調節ダイヤル２１２を回して設定する。  
前記植始め調節ダイヤル２１２の回転角度に応じて前記走行距離を適宜選択できる構成であるが、該ダイヤル２１２の前記走行距離の調節範囲より外れたダイヤル旋回角度領域（しかも自動植付開始モードに入る前のダイヤル旋回角度領域）に、車両の旋回開始時に自動的に苗植付装置４を上昇させる制御モードを選択できるオ−トリフト機能及び車両の後進時に自動的に苗植付装置４を上昇させる制御モードを選択できるバックリフト機能を兼用させている。
【００５３】
そして、植始め調節ダイヤル２１２のダイヤル回転操作でオ−トリフト機能に対応した位置に植始め調節ダイヤル２１２の指示部が「オートリフト」と指示された位置に至ると、当該オートリフト機能がオンになり、オートリフト制御モードが開始すると同時に前記間欠サイドクラッチ制御を開始する制御モードを採用することもできる。  
これは、湿田での旋回走行中では、前輪１０及び後輪１１がスリップし易く、自動植付開始モードで苗の植え付け開始位置が予定した位置になり難いため、前記間欠サイドクラッチ制御を選定するが、このときも連動して間欠サイドクラッチ制御をすることができる。こうしてスリップし易い条件下での車両の旋回走行を容易に行うことができるようになる。
【００５４】
また、自動植付開始モードが設定されていない時、例えば路上走行時には前記間欠サイドクラッチ制御をしないで、旋回内側の車輪（後輪１１）の伝動軸のサイドクラッチを継続的に切りながら旋回する通常の旋回モード（上述の継続して前記サイドクラッチを切り又は入りにする制御（Ａ））とすることもできる。
【００５５】
そして、本実施例による乗用型田植機１の制御装置１６３によれば、サイドクラッチ操作アーム８６Ｉ、クラッチ連動用の左右ロッド１８０、プルシリンダ２１７、サイドクラッチ制御用電磁バルブ２２１などのステアリング機構に連動して旋回内側の後輪１１の駆動を入り又は切りにする継続的入り切り制御機能（Ａ）と伝動軸回転数センサ２０５により検出される旋回外側の後輪１１の回転数（回転速度）に応じて旋回内側の後輪１１の駆動を伝動するサイドクラッチを断続的に入／切する断続的入り切り制御機能（Ｂ）を設けている。  
更に、本実施例による乗用型田植機１の制御装置１６３によれば、エンジン２０の回転数を検出するエンジン回転数センサ１０２をエンジン出力軸（図示せず）に設け、エンジン回転数センサ１０２により検出される駆動回転数（駆動回転数とは、単位時間あたりの回転数（ｒｐｍ））が所定値以上である場合に断続的入り切り制御機能（Ｂ）の旋回内側の後輪１１のサイドクラッチの入り切り周期（作動周期Ｔ）の入り時間の割合（作動周期Ｔ中のオン時間の割合（比率））を減少方向に変更する断続的入り切り制御補正機能（Ｃ）を設けたことを特徴としている。
【００５６】
エンジン２０のスロットルの開度が大きく、エンジン２０の駆動力が大きい場合はサイドクラッチ入り操作時の旋回内側の後輪１１の駆動力が大きくなって、機体が大きく揺れたり、振動したりすることがある。  
しかし、このような場合に、サイドクラッチの作動周期Ｔの入り時間の割合を小さくすることで、エンジン２０の駆動力を旋回内側の後輪１１に伝わりにくくすることができるため、走行車体２の揺れ及び振動を抑えて操縦者の不快感をなくし、操作性を向上させることができ、作業環境を良好に維持できる。
【００５７】
図１５には、断続的入り切り制御補正機能（Ｃ）が作動した場合の旋回内側の車輪のサイドクラッチの入り切り周期のタイムチャートを示す。図１５には、間欠サイドクラッチ制御（断続的入り切り制御機能（Ｂ）による制御）の作動周期Ｔを０．６秒（オン時間０．３秒／オフ時間０．３秒）とした場合のタイムチャートを示している。  
図１５（ａ）に示すように、エンジン回転数センサ１０２により検出される駆動回転数が所定値（例えば３０００ｒｐｍ）以上となった場合に、サイドクラッチ入り時間を設定時間（０．３秒）よりも短い時間、例えば半分の時間（０．１５秒）に変更する。なお、サイドクラッチ切り時間（０．３秒）は変更せず、作動周期Ｔは０．６秒から０．４５秒になり、サイドクラッチ入り時間の割合は１／２から１／３に減少する。
【００５８】
また、図１５（ｂ）に示すように、サイドクラッチ入り時間を０．１５秒に変更するとともに、サイドクラッチ切り時間（０．３秒）を設定時間よりも短い時間（例えば０．２秒）に変更した場合も、サイドクラッチ入り時間の割合は１／２から３／７に減少するため、本実施形態に含まれる。この場合は、作動周期Ｔは０．６秒から０．３５秒になる。
【００５９】
更に、図１５（ｃ）に示すように、サイドクラッチ入り時間（０．３秒）を設定時間よりも長い時間（例えば０．４秒）に変更した場合でも、サイドクラッチ切り時間を０．４秒よりも長い時間（例えば０．５秒）に変更した場合は、サイドクラッチ入り時間の割合は１／２から４／９に減少するため、本実施形態に含まれる。この場合は、作動周期Ｔは０．６秒から０．９秒になる。
【００６０】
また、本実施例による乗用型田植機１の制御装置１６３は、伝動軸回転数センサ２０５により検出された旋回外側の後輪１１の回転数（回転速度）に基づいて、該旋回外側の後輪１１の回転数よりも小さい旋回内側の後輪１１の回転数（回転速度）を演算し、設定する旋回内側の後輪１１の回転数演算設定機能（Ｄ）を有している。  
なお、旋回外側の後輪１１の回転数及び旋回内側の後輪１１の回転数とは、回転速度を意味する。
【００６１】
そして、制御装置１６３の断続的入り切り制御機能（Ｂ）は、旋回外側の後輪１１の回転数に基づいて、回転数演算設定機能（Ｄ）により演算、設定された回転数よりも旋回内側の後輪１１の回転数が大きい場合はサイドクラッチを切りにし、回転数演算設定機能（Ｄ）により設定された回転数と同じ又は設定された回転数よりも旋回内側の後輪１１の回転数が小さい場合はサイドクラッチを所定時間入りにする制御を行う。  
乗用型田植機１の旋回内側の後輪１１の回転数が比較的小さい場合は、当該旋回内側の後輪１１がスリップしている可能性が高い。  
したがって、このような旋回内側の後輪１１がスリップしやすい条件の時にサイドクラッチを所定時間入りにして旋回内側の後輪１１を駆動することで、適正な操向が行える。  更に、エンジン回転数センサ１０２により検出される駆動回転数が所定値以上である場合に断続的入り切り制御機能（Ｂ）のサイドクラッチ入りの所定時間を変更する制御を行うことで、エンジン２０の駆動力による走行車体２の揺れ及び振動を適確に抑えることができる。
【００６２】
例えば、制御装置１６３の回転数演算設定機能（Ｄ）により演算、設定される旋回内側の後輪１１の回転数を旋回外側の後輪１１の回転数の１／５とする。この１／５とは、操向外側の後輪１１が１回転する間に操向内側の後輪１１が１／５回転するという意である。そして、旋回外側の後輪１１及び旋回内側の後輪１１の回転数の検出は、旋回時にステアリングハンドル３４の所定角以上の操作により、旋回内側の後輪１１のサイドクラッチが切りになったとき（以下、「間欠サイドクラッチ制御が開始されたとき」という）から始まる。
【００６３】
そして、旋回内側の後輪１１の回転数が旋回外側の後輪１１の回転数の１／５よりも大きくなった場合に、サイドクラッチを切りにする制御を行う。なお、旋回開始から旋回終了まで旋回内側の後輪１１の回転数が旋回外側の後輪１１の回転数の１／５よりも常時大きい場合は、間欠サイドクラッチ制御は行われず、継続的入り切り制御機能（Ａ）による制御となる。
【００６４】
また、旋回内側の後輪１１の回転数が旋回外側の後輪１１の回転数の１／５以下になった場合はサイドクラッチを所定時間（例えば０．３秒）入りにする制御を行う。所定時間入り後も旋回内側の後輪１１の回転数が旋回外側の後輪１１の回転数の１／５以下である場合は理論的には旋回開始から旋回終了まで常時サイドクラッチが入りになるが、サイドクラッチが入りの間は旋回内側の後輪１１は旋回外側の後輪１１と同速で回転するため、サイドクラッチを切りにしない限りは旋回内側の後輪１１の回転数が設定回転数よりも小さくなることはなく、サイドクラッチを切りにしたときに旋回内側の後輪１１の回転数が設定回転数よりも小さくなる。
【００６５】
図１６には、図１の乗用型田植機の別の例の間欠サイドクラッチ制御による制御時の旋回内側の車輪のサイドクラッチの入り切り周期のタイムチャートを示す。  
図１６（ａ）に示す例は、旋回外側の後輪１１が所定の回転数（累計回転数）Ｋに到達するたびに旋回内側の後輪１１の回転数（回転速度）が旋回外側の後輪１１の回転数（回転速度）の１／５以下となる場合を想定しており、所定の走行距離ごとにサイドクラッチが所定時間（（ロ）で示す）入りになるサイドクラッチの入り切り周期のタイムチャートである。なお、「所定の回転数に到達するたびに」累積回転数Ｋのカウントはクリアする。累計回転数Ｋのカウント開始は先の間欠サイドクラッチ制御が開始されたときである。
【００６６】
なお、制御の始期について、本制御は旋回内側の後輪１１のサイドクラッチが切りになったとき（間欠サイドクラッチ制御が開始されたとき）から始まり、図１６（ａ）に示すように、１回目はオフから累計回転数Ｋのカウントが始まる。しかし、２回目以降の旋回外側の後輪１１が所定の累計回転数Ｋに到達するたびにサイドクラッチオンするという構成は、サイドクラッチのオン開始時が累計回転数Ｋの始期となる。
【００６７】
そして、エンジン回転数センサ１０２により検出される駆動回転数が所定値（例えば３０００ｒｐｍ）以上である場合は、サイドクラッチ入りの所定時間（ロ）を減少方向に変更する（例えば０．３秒から０．２秒に）制御を行う。この場合はサイドクラッチ入りの所定時間を減る方向にしか変更しない。本制御により旋回内側の後輪１１のサイドクラッチの入り切り周期（作動周期Ｔ）の入り時間の割合も減少方向に変更する。したがって、エンジン２０の駆動力による走行車体２の揺れ及び振動を適確に抑えることができる。
【００６８】
なお、旋回開始から旋回終了まで旋回内側の後輪１１の回転数が旋回外側の後輪１１の回転数の１／５以下で常時小さい場合は、常時サイドクラッチが入りとなると考えられるが、上述のようにサイドクラッチが入りの間は旋回内側の後輪１１は旋回外側の後輪１１と同速で回転するため、サイドクラッチを切りにしない限りは旋回内側の後輪１１の回転数が設定回転数よりも小さくなることはない。したがって、このような旋回内側の後輪１１の回転数が設定回転数に近く、比較的小さい場合は場合は図１６（ｂ）に示すように、図１６（ａ）に示す例よりも作動周期Ｔが短い（オフ時間が短い）タイムチャートになる。  また、制御装置１６３の断続的入り切り制御機能（Ｂ）は、旋回外側の後輪１１の回転数に基づいて、回転数演算設定機能（Ｄ）により設定された回転数（旋回外側の後輪１１の回転数よりも小さい回転数）よりも旋回内側の後輪１１の回転数が大きい場合はサイドクラッチを所定時間（例えば０．３秒）切りにし、回転数演算設定機能（Ｄ）により設定された回転数と同じ又は設定された回転数よりも旋回内側の後輪１１の回転数が小さい場合はサイドクラッチを入りにする制御を行っても良い。
【００６９】
図１７には、図１の乗用型田植機の別の例の間欠サイドクラッチ制御による制御時の旋回内側の車輪のサイドクラッチの入り切り周期のタイムチャートを示す。  
図１７（ａ）に示す例は、旋回外側の後輪１１が所定の累計回転数Ｋに到達するたびに旋回内側の後輪１１の回転数（回転速度）が旋回外側の後輪１１の回転数（回転速度）の１／５よりも大きくなる場合を想定しており、所定の走行距離ごとにサイドクラッチが所定時間（（イ）で示す）切りになるサイドクラッチの入り切り周期のタイムチャートである。なお、「所定の回転数に到達するたびに」累積回転数Ｋのカウントはクリアする。
【００７０】
そして、旋回開始から旋回終了まで旋回内側の後輪１１の回転数が旋回外側の後輪１１の回転数の１／５よりも常時大きい場合は、所定時間サイドクラッチが切りになった後、サイドクラッチが入りになる。なお、この入り時間はプログラミングされている初期値（基本設定されている（通常の）間欠サイドクラッチ制御に比べて短時間）である。  
また、所定時間切り後も旋回内側の後輪１１の回転数が旋回外側の後輪１１の回転数の１／５よりも大きい場合は、サイドクラッチが所定時間切りになった後、サイドクラッチが入りになる。なお、この入り時間はプログラミングされている初期値であり、上記旋回内側の後輪１１の回転数が旋回外側の後輪１１の回転数の１／５よりも常時大きい場合と同じで、同様な制御となる。そして、この入り時間は機体の種類、圃場状態などの種々の条件により決まるものである。  
そして、このような場合は、図１７（ｂ）に示すように、図１７（ａ）に示す例よりも作動周期Ｔが短い（オン時間が短い）タイムチャートになる。
【００７１】
そして、エンジン回転数センサ１０２により検出される駆動回転数が所定値以上である場合に、断続的入り切り制御機能（Ｂ）のサイドクラッチ切りの所定時間（イ）を増加方向に変更する制御を行うことで、サイドクラッチ入りの所定時間は減少方向に変更される。この場合はサイドクラッチ切りの所定時間を増やす方向にしか変更しない。  
したがって、旋回内側の後輪１１のサイドクラッチの入り切り周期（作動周期Ｔ）の入り時間の割合も減少方向に変更するため、エンジン２０の駆動力による走行車体２の揺れ及び振動を適確に抑えることができる。
【００７２】
または、単に回転数演算設定機能（Ｄ）により設定された回転数と旋回内側の後輪１１の回転数との大小を比較した制御ではなく、下記（１）〜（３）に示す制御例も可能である。また、下記（１）〜（３）においても、「所定の回転数」とは、累計回転数のことであり、すなわち距離のことである。また、「所定の回転数に到達するたびに」累積回転数のカウントはクリアする。回転数を変えるのは、増える方向でも減る方向でも良い。  
（１）更に、旋回外側の後輪１１の回転数を伝動軸回転数センサ２０５で検出し、当該回転数が所定の回転数に到達するたびに、旋回内側の後輪１１のサイドクラッチを所定時間入りにする制御を行っても良い。
【００７３】
図１８（ａ）には、（１）の例の旋回内側の車輪のサイドクラッチの入り切り周期のタイムチャートを示す。  
例えば、所定の回転数を２／３回転とし、まず、間欠サイドクラッチ制御が開始されたときから旋回外側の後輪１１の回転数が２／３回転になったときにサイドクラッチがオンになり、所定時間（（ロ）で示す。例えば０．３秒）サイドクラッチがオンのままになる。累計回転数はサイドクラッチがオンになるとクリアされて再び回転数のカウントが始まる。
【００７４】
そして、さらに旋回外側の後輪１１が回転して２／３回転（１回目のオン開始時から数える）になったときに再び所定時間（０．３秒）サイドクラッチがオンになる。そして、この作動周期を繰り返す。  
車速一定の前提条件の下では、オンオフがそれぞれ１回現出される時間（作動周期Ｔ）は変わらず、オン時間が変われば、オフ時間も変わることになる。そして、エンジン回転数センサ１０２により検出される駆動回転数が所定値（例えば３０００ｒｐｍ）以上である場合は、サイドクラッチ入りの所定時間を減少方向に変更する（例えば０．３秒から０．２秒に）制御を行うことで、旋回内側の後輪１１のサイドクラッチの入り切り周期（作動周期Ｔ）の入り時間の割合も減少方向に変更するため、エンジン２０の駆動力による走行車体２の揺れ及び振動を適確に抑えることができる。
【００７５】
（２）更に、旋回外側の後輪１１の回転数を伝動軸回転数センサ２０５で検出し、当該回転数が所定の回転数に到達するたびに、旋回内側の後輪１１のサイドクラッチを所定時間切りにする制御を行っても良い。  
図１８（ｂ）には、（２）の例の旋回内側の車輪のサイドクラッチの入り切り周期のタイムチャートを示す。  
例えば、所定の回転数を２／３回転とし、まず、間欠サイドクラッチ制御が開始されたときから旋回外側の後輪１１の回転数が２／３回転になったときにサイドクラッチがオフになり、所定時間（（イ）で示す。例えば０．３秒）サイドクラッチがオフのままになる。この場合の累計回転数はサイドクラッチがオフになるとクリアされて再び回転数のカウントが始まる。
【００７６】
そして、さらに旋回外側の後輪１１が回転して２／３回転（１回目のオフ開始時から数える）になったときに再び所定時間（０．３秒）サイドクラッチがオフになる。そして、この作動周期を繰り返す。  
車速一定の前提条件の下では、オンオフがそれぞれ１回現出される時間（作動周期Ｔ）は変わらず、オフ時間が変われば、オン時間も変わることになる。そして、エンジン回転数センサ１０２により検出される駆動回転数が所定値（例えば３０００ｒｐｍ）以上である場合は、サイドクラッチ切りの所定時間を増加方向に変更する（例えば０．３秒から０．４秒に）制御を行うことで、旋回内側の後輪１１のサイドクラッチの入り切り周期（作動周期Ｔ）の入り時間の割合が減少方向に変更するため、エンジン２０の駆動力による走行車体２の揺れ及び振動を適確に抑えることができる。
【００７７】
（３）更に、旋回外側の後輪１１の回転数を伝動軸回転数センサ２０５で検出し、当該回転数が第一の所定の回転数に到達するたびに、旋回内側の後輪１１のサイドクラッチを旋回外側の後輪１１の回転数が第二の所定の回転数に到達するまでサイドクラッチを入りにする制御を行っても良い。  
図１８（ｃ）には、（３）の例の旋回内側の車輪のサイドクラッチの入り切り周期のタイムチャートを示す。  
例えば、第一の所定の回転数を２／３回転とし、第二の所定の回転数を１／１５回転とした場合に、まず、旋回外側の後輪１１の回転数が前回のオン開始時から２／３回転になったときにサイドクラッチがオンになり、旋回内側の後輪１１が１／１５回転（サイドクラッチのオン開始時から数える）に到達するまでサイドクラッチがオンのままになる。
【００７８】
そして、さらに旋回外側の後輪１１が回転して２／３回転（１回目のオン開始時から数える）となったときにサイドクラッチがオンになり、旋回内側の後輪１１が再び１／１５回転（サイドクラッチのオン開始時から数える）に到達するまでサイドクラッチがオンのままになる。そして、この作動周期を繰り返す。  
そして、エンジン回転数センサ１０２により検出される駆動回転数が所定値（例えば３０００ｒｐｍ）以上である場合は、前記第一の所定の回転数又は第二の所定の回転数を変更する。例えば、具体的には、第一の所定の回転数を増加方向に変更するか、第二の所定の回転数を減少方向に変更するか、第一の所定の回転数を増加方向に変更すると共に第二の所定の回転数を減少方向に変更する場合が想定される。
【００７９】
車速一定の前提条件の下では、オンオフがそれぞれ１回現出される時間（作動周期Ｔ）は変わらず、オン時間が変われば、オフ時間も変わることになる。したがって、前記想定例ではサイドクラッチの入り時間が短くなるため旋回内側の後輪１１のサイドクラッチの入り切り周期（作動周期Ｔ）の入り時間の割合も減少方向に変更される。したがって、エンジン２０の駆動力による走行車体２の揺れ及び振動を適確に抑えることができる。
【００８０】
また、本実施例による乗用型田植機１は、エンジン２０の回転動力が、ベルト伝動装置２１及び油圧式無段変速装置２３を介してミッションケース１２（図１）に伝達されるが、ミッションケース１２内に前輪１０と後輪１１に発生する回転差を吸収する前輪差動装置（前輪デフ装置、図示せず）を設け、更に前輪差動装置を牽制するための前輪差動牽制装置（フロントデフロック、図示せず）を設けても良い。この場合は、エンジン２０の回転動力が、前輪差動装置又は前輪差動牽制装置を介して前輪ファイナルケース１３，１３に伝達されて前輪１０，１０を駆動する。
【００８１】
更に、この乗用型田植機１は、走行車体２の後側に昇降リンク装置３を介して苗植付部４が昇降可能に装着されている。そして、旋回時に苗植付部４を自動的に上昇させる制御構成として、上述のようにステアリングハンドル３４を左右何れかに２００度回転させた時に自動リフト切替スイッチ１９２（図１４）をオンにすると、制御装置１６３の苗植付部上昇手段により電磁油圧バルブ１６１を作動させる電磁ソレノイドを制御して油圧シリンダー４６にて苗植付部４を最大位置まで上昇させるように構成されている。これら電磁油圧バルブ１６１、油圧シリンダー４６及び昇降リンク装置３などを苗植付部上昇装置という。
【００８２】
そして、苗植付部上昇装置（３，４６，１６１）の他に、この苗植付部上昇装置（３，４６，１６１）の作動を牽制する苗植付部上昇牽制装置（苗植付部上昇牽制スイッチ２３０などの手動ボタンで良い）を設け、苗植付部上昇牽制装置の牽制作動に連動して前輪差動牽制装置を牽制作動させる機能を制御装置１６３に設けても良い。  
なお、この苗植付部上昇牽制装置は、変形田など植付中でもハンドル操作が多くなるときに、植付中に苗植付部４が上昇しないようにする場合に必要である。  
オペレータは前輪１０が空転していると判断した場合に左右の前輪１０を等速で駆動させるために、前輪差動牽制装置を入りにする（牽制作動する）。オペレータが前輪デフロックペダル２４５を踏むと、前輪デフロックペダルセンサ２４７により当該信号が検出されて前輪差動牽制装置が入りになって牽制作動する。
【００８３】
例えば、変形した圃場で機体を操向させながら作業を行うとき、必然的に切り返しが多くなるため、前輪１０が前輪差動牽制装置により牽制作動されている方が、乗用型田植機１の操作性が良い。このような変形した圃場（変形田など）では、植付中でもハンドル操作が多くなる。したがって、植付中に苗植付部４が上昇しないようにする場合に、苗植付部上昇装置（３，４６，１６１）の作動を苗植付部上昇牽制装置により牽制する。  
そして、このような場合は  オペレータが前輪デフロックペダル２４５を踏むことなく、制御装置１６３により苗植付部上昇牽制装置の作動に連動して前輪差動牽制装置が牽制作動することで左右の前輪１０のスリップを抑えて駆動力を得ることができ、機体の操向性能を向上させることができる。すなわち、変形田などでは苗植付部４の上昇を牽制するぐらいハンドル操作が多いため、本構成により操向性能を向上させるものである。
【００８４】
また、苗植付部４は、次行程における機体進路を表土面に線引きする左右一対の線引きマーカ（図示せず）等を備えている。更に、機体の旋回に連動して作用状態となるマーカを左右何れかに切り替えるマーカ自動切替装置（図示せず）と、マーカ自動切替装置を作動状態と非作動状態とに切り替えるマーカ自動入切装置（マーカ入切スイッチ２３７など）とを設け、マーカ自動入切装置を非作動状態に切り替えるのに連動して前輪差動牽制装置を牽制作動させる機能を制御装置１６３に設けても良い。  
なお、マーカ自動切替装置とは、ハンドル操作の検出に基づいて、旋回方向（左、右）を判断し、植付が開始された後、次に出す側（旋回外側であった側）のマーカをマーカ作動モータ（図示せず）で自動的に線引き状態にする装置である。
【００８５】
例えば、変形した圃場で機体を操向させながら作業を行うとき、必然的に切り返しが多くなり、又小回りが必要となる。このような変形した圃場では、植付時もハンドル操作で旋回と判断して、勝手に線引きするマーカが左右で切り替わるおそれがあるため、マーカ自動切替装置を作動状態にしないように、マーカ自動入切装置によりマーカ自動切替装置を非作動状態に切り替える。  
したがって、このような場合は、制御装置１６３によりマーカ自動入切装置を非作動状態に切り替えるのに連動して前輪差動牽制装置を牽制作動するので、左右の前輪１０のスリップを抑えて駆動力を得ることができ、機体の操向性能を向上させることができる。すなわち、マーカ自動入切装置を非作動状態にするぐらいハンドル操作が多いため、本構成により操向性能を向上させるものである。
【００８６】
また、本実施例による乗用型田植機１はメインフレーム１５（図１）の後端左右中央部に前後水平に設けた後輪ローリング軸を支点にして後輪ギヤケース１８，１８がローリング自在に支持され、その後輪ギヤケース１８，１８から外向きに突出する後輪車軸に後輪１１，１１が取り付けられている。  
そして、左右の後輪１１のローリング機構による後輪１１の上下動（ローリング）に連動して前輪差動牽制装置を牽制作動させる機能を制御装置１６３に設けても良い。後輪１１のローリングの程度は後輪ローリング軸に設けられた後輪ローリングセンサ２４０（図７）により検出される。
【００８７】
例えば、凹凸が激しく耕盤が荒れている圃場等で作業を行うとき、乗用型田植機１の後輪１１のローリングの程度が大きくなるが、後輪１１のローリングに連動して前輪差動牽制装置を牽制作動するので、左右の前輪１０のスリップを抑えて駆動力を得ることができ、機体の操向性能を向上させることができると共に、機体の直進性が向上する。
【００８８】
また、制御装置１６３により設定されているエンジン２０の駆動回転数を変更するエンジン回転数変更装置（エンジン回転数変更スイッチ２４３（図７）など）を設け、ステアリングハンドル３４が操向中立状態の時（旋回角度（切れ角）センサ１９３（図７）で検知する。すなわち、図９のフローの直進時（θ１＜θ＜θ２）の時である）にエンジン回転数変更スイッチ２４３によりエンジン２０の駆動回転数を変更していないのにも関わらず、エンジン回転数が低下したときは、前輪差動牽制装置を牽制作動させる機能を制御装置１６３に設けても良い。  
例えば、走行負荷が大きくてエンジン回転数が低下したときは、前輪差動牽制装置を牽制作動するので、左右の前輪１０のスリップを抑えて駆動力を得ることができ、機体の操向性能を向上させることができると共に、機体の直進性が向上する。
【００８９】
また、ステアリングハンドル３４を頻繁に操作した時に、前輪差動牽制装置を牽制作動させる機能を制御装置１６３に設けても良い。ステアリングハンドル３４の操作は旋回角度（切れ角）センサ１９３により検出し、例えば、所定時間内に左操舵及び右操舵を繰り返す回数が設定回数以上である場合に頻繁に操作されていると判断する。  
本構成により、例えば、機体の左右方向の位置合わせの際にステアリングハンドル３４を頻繁に操作すると、左右の前輪１０のスリップを抑えて駆動力を得ることができ、機体の操向性能を向上させることができると共に、機体の直進性が向上する。
【００９０】
また、左右の後輪１１の上下動機構による後輪１１の上下動に連動してステアリングハンドル３４のトルクジェネレータ３７（パワーステアリング装置）のアシスト力を小さくする（ステアリングハンドル３４が重くなる）機能を制御装置１６３に設けても良い。  
例えば、凹凸が激しく耕盤が荒れている圃場等で作業を行うとき、ステアリングハンドル３４が軽いと機体の振動によってステアリングハンドル３４が取られて機体が大きく操向されてしまう。  
しかし、後輪ローリングセンサ２４０により検出される後輪１１のローリングの程度に連動してトルクジェネレータ３７のアシスト力を小さくするので、むやみに機体が操向することを抑制できると共に、機体の直進性が向上する。
【産業上の利用可能性】
【００９１】
本発明は、８条植などの多条の苗植付用作業機の旋回時の操作性がよいので乗用型田植機などの乗用型作業機に利用できる。
【符号の説明】
【００９２】
１  乗用型田植機                ２  走行車体
３  昇降リンク装置              ４  苗植付部
５  施肥装置                    １０  前輪
１１  後輪                      １２  ミッションケース
１３  前輪ファイナルケース      １４  前輪アクスル
１５  メインフレーム            １６  変速レバー
１８  後輪ギヤケース            １９  苗植付レバー
２０  エンジン（原動機）        ２１  ベルト伝動装置
２３  油圧式無段変速装置        ２５  植付クラッチケース
２６  植付伝動軸                ２７（２７ａ，２７ｂ）  ロータ
２８  施肥伝動機構              ３０  エンジンカバー
３１  操縦席                    ３２  フロントカバー
３３  操作盤                    ３４  ハンドル
３５  フロアステップ            ３６  リヤステップ
３７  トルクジェネレータ        ３８  予備苗載台
４０  上リンク                  ４１  下リンク
４２  リンクベースフレーム      ４３  縦リンク
４４  連結軸                    ４５  ケーブル
４６  昇降油圧シリンダー        ４８  昇降リンクセンサ
４９  油圧ポンプ                ５０  苗植付伝動ケース
５１  苗載台                    ５１ａ  苗取出口
５１ｂ  苗送りベルト            ５２  苗植付装置
５３  ブロア用電動モータ        ５５  センターフロート
５６  サイドフロート            ５７  ミドルフロート
５８  ブロア                    ５９  エアチャンバ
６０  肥料ホッパ                ６１  繰出部
６２  施肥ホース                ６５  支持枠体
６５ａ  支持ローラ              ６５ｂ    両側辺部材
６６  梁部材                    ６６ａ  突出部
６７  支持アーム                ６８  ロータ支持フレーム
７０  駆動軸                    ７１  連結部材
７６，７７  リンク部材          ７８  スプリング
８１  ロータ上下位置調節レバー  ８２  折曲片
８６Ｉ  左右クラッチ操作アーム
９０  チェンジレバー（前後進レバー）
１０２  エンジン回転数センサ    １２６  苗植付け具
１６１  昇降バルブ              １６３  制御装置
１６６  フィンガーレバー        １８０  左右ロッド
１８４  旋回制御のスタートボタン（スイッチ）
１９０  接当片                  １９１  バックリフトスイッチ
１９２  自動リフト切替スイッチ  １９３  ハンドル切れ角センサ
１９５  サイドクラッチスイッチ  ２０５  伝動軸回転数センサ
２０６ａ〜２０８ｂ  設定ダイヤル
２１０  間欠サイドクラッチ制御調節ダイヤル
２１２  植始め調節ダイヤル      ２１７  プルシリンダ
２２１  クラッチ制御用電磁バルブ
２３０  苗植付部上昇牽制スイッチ
２３５  迎い角センサ            ２３７  マーカ入切スイッチ
２４３  エンジン回転数変更スイッチ
２４０  後輪ローリングセンサ    ２４５  前輪デフロックペダル
２４７  前輪デフロックペダルセンサ
Ａ  継続的入り切り制御機能
Ｂ  断続的入り切り制御機能（間欠サイドクラッチ制御）
Ｃ  断続的入り切り制御補正機能
Ｄ  回転数演算設定機能
【図１】
2010263803.tif 000004
【図２】
2010263803.tif 000005
【図３】
2010263803.tif 000006
【図４】
2010263803.tif 000007
【図５】
2010263803.tif 000008
【図６】
2010263803.tif 000009
【図７】
2010263803.tif 000010
【図８】
2010263803.tif 000011
【図９】
2010263803.tif 000012
【図１０】
2010263803.tif 000013
【図１１】
2010263803.tif 000014
【図１２】
2010263803.tif 000015
【図１３】
2010263803.tif 000016
【図１４】
2010263803.tif 000017
【図１５】
2010263803.tif 000018
【図１６】
2010263803.tif 000019
【図１７】
2010263803.tif 000020
【図１８】
2010263803.tif 000021